(57)【要約】【課題】消費電力の低減を計ったプリンタを提供する。【解決手段】プリントＳＷが押されると、ＳＤＲＡＭから画像データが読み出され、Ｒ画像の最大濃度が検出される。これ再現する必要露光量Ｔreqがルックアップテーブルを参照して求められ、Ｒ画像用の特性曲線Ｐを参照して必要露光量Ｔreqに対応するＬＥＤの必要駆動電圧Ｖreqが求められる。ＬＥＤが必要駆動電圧Ｖreqで駆動されるとともに、画像データの１ライン分が読み出され、液晶シャッタアレイの各シャッタの開口時間が調節され、１ライン分のＲ画像がインスタントフイルム上に潜像として記録される。同様にＧ，Ｂの各画像が同じ１ラインに記録された後、インスタントフイルムが１ライン分ステップ搬送され、全てのラインに画像が潜像として記録されると、インスタントフイルムは内部に現像剤が展開されながら外部に排出される。【選択図】図９
2007206432.tif 000002
【特許請求の範囲】
【請求項１】
記録媒体上に画像データに応じた露光を行うことにより記録媒体上に画像を潜像として記録するプリンタにおいて、
前記露光に係る光源の駆動電圧と記録媒体に与えられる露光量との関係を表す特性曲線を予め記憶した記憶部と、
前記画像データに基づいて画像の最大濃度を検出し、この最大濃度を再現するために記録媒体に与えられるべき必要露光量を求めた後、前記特性曲線を参照して、前記必要露光量を得るために必要な光源の駆動電圧を求める演算部と、
この演算部によって求められた駆動電圧で光源を駆動する制御部と
を備えたことを特徴とするプリンタ。
【請求項２】
前記特性曲線は、前記記録媒体のガンマ特性によって決められることを特徴とする請求項１記載のプリンタ。
【請求項３】
前記光源を含み前記記録媒体に露光を与える露光部は、
前記光源から発光された光を導く、前記記録媒体に沿って所定の主走査方向に延びる光ガイドと、
この光ガイドの延びる主走査方向に配列され、前記画像データに応じて開閉することにより、前記光ガイドによって導かれた光を主走査方向に並んだ光点として記録媒体に照射するシャッタと
を備えたことを特徴とする請求項１または２記載のプリンタ。
【請求項４】
前記光源は、異なる２色以上の色光をそれぞれ放出する複数個の発光素子であることを特徴とする請求項１ないし３いずれか記載のプリンタ。
【発明の詳細な説明】
【技術分野】
【０００１】
本発明は、プリンタに関し、更に詳しくはインスタントフイルム等の記録媒体に画像を記録するプリンタに関するものである。
【背景技術】
【０００２】
液晶パネルに画像を表示させ、これに光源からの光を照射し、前記液晶パネルを透過した透過光により前記画像を記録媒体である感光材料（印画紙）に露光する写真プリンタが知られている（特許文献１）。また、記録媒体としてインスタントフイルムを用い、光学ヘッドによって画像をインスタントフイルム上に潜像として記録するものが知られている（例えば特許文献２）。
【０００３】
前記光学ヘッドは、光源としてレッド（Ｒ）、グリーン（Ｇ）、ブルー（Ｂ）の発光色を持つ発光素子（ＬＥＤ）を備え、これら発光素子で順次に発光されたＲ，Ｇ，Ｂの各光がライトガイドを介してインスタントフイルムの主走査方向に延びた液晶シャッタアレイに導かれる。前記Ｒ，Ｇ，Ｂの各光は、液晶シャッタアレイの各シャッタによって画像の階調に応じた光量に調節されてインスタントフイルム上に順次に結像される。これにより、カラー画像の潜像が記録される。
【特許文献１】特開平９−１０１５７８号公報
【特許文献２】特開２００５−１７５７７号公報
【発明の開示】
【発明が解決しようとする課題】
【０００４】
上記発光素子は常に最大光量で点灯されるため、特にプリンタがモバイル用途である場合には、電源電池の消耗が激しく、プリント可能枚数が少なくなるという問題がある。
【０００５】
本発明は、上記のような問題点を解決するためになされたもので、消費電力の低減を計ったプリンタを提供することを目的とする。
【課題を解決するための手段】
【０００６】
本発明のプリンタは、記録媒体上に画像データに応じた露光を行うことにより記録媒体上に画像を潜像として記録するプリンタにおいて、前記露光に係る光源の駆動電圧と記録媒体に与えられる露光量との関係を表す特性曲線を予め記憶した記憶部と、前記画像データに基づいて画像の最大濃度を検出し、この最大濃度を再現するために記録媒体に与えられるべき必要露光量を求めた後、前記特性曲線を参照して、前記必要露光量を得るために必要な光源の駆動電圧を求める演算部と、この演算部によって求められた駆動電圧で光源を駆動する制御部とを備えたことを特徴とする。
【０００７】
また、前記特性曲線は、前記記録媒体のガンマ特性によって決められることを特徴とする。また、前記光源を含み前記記録媒体に露光を与える露光部は、前記光源から発光された光を導く、前記記録媒体に沿って所定の主走査方向に延びる光ガイドと、この光ガイドの延びる主走査方向に配列され、前記画像データに応じて開閉することにより、前記光ガイドによって導かれた光を主走査方向に並んだ光点として記録媒体に照射するシャッタとを備えたことを特徴とする。また、前記光源は、異なる２色以上の色光をそれぞれ放出する複数個の発光素子であることを特徴とする。
【発明の効果】
【０００８】
本発明のプリンタによれば、画像データに基づいて画像の最大濃度を検出し、この最大濃度を再現するために記録媒体に与えられるべき必要露光量を求めた後、この必要露光量を得るために必要な光源の駆動電圧を求め、この駆動電圧で光源を駆動するので、過剰に高い駆動電圧を光源に供給することがなく、消費電力を低減できる。
【０００９】
また、必要な光源の駆動電圧を求めるために用いられる特性曲線は、記録媒体のガンマ特性によって決められるので、使用する記録媒体に則した正確な特性曲線が得られる。
【００１０】
また、記録媒体に露光を与える露光部は、光源から発光された光を導く、記録媒体に沿って所定の主走査方向に延びる光ガイドと、この光ガイドの延びる主走査方向に配列され画像データに応じて開閉することにより、光ガイドによって導かれた光を主走査方向に並んだ光点として記録媒体に照射するシャッタとを備えたので、露光部をコンパクトに構成できる。また、前記光源は、異なる２色以上の色光をそれぞれ放出する複数個の発光素子であることが好ましい。
【発明を実施するための最良の形態】
【００１１】
本発明の一実施形態のプリンタを示す図１において、プリンタ１０は、小型，軽量かつ薄型のいわゆるモバイル型プリンタであり、３Ｖの一次電池（例えばリチウム電池）が２個内蔵される。このプリンタ１０の筐体１０ａ内にインスタントフイルムパックが装填され、そのインスタントフイルムパック内の、積層された１０枚のシート状をしたインスタントフイルムが一枚ずつ外に送り出されながら画像の記録が行われる。なお、本実施形態のインスタントフイルムは、濃度が最大の画像を記録する際に最大の光量を必要とするポジタイプとする。
【００１２】
プリンタ１０の筐体１０ａの上面には操作ボタンとして、このプリンタ１０の電源の投入および遮断を指示する電源スイッチ（以下、電源ＳＷと記述する）１１と、プリントスイッチ（以下プリントＳＷと記述する）１２が設けられている。また、筐体１０ａの上面には、インスタントフイルムの残り枚数を示すカウンタ１３が設けられている。
【００１３】
前記カウンタ１３は機械式のカウンタであり、未使用のインスタントフイルムパックが装填されると、残り枚数が１０枚であることを示す数値「１０」が表示される。以下、インスタントフイルムに画像の記録が行われる度に枚数が減算された残り枚数を示す数値が表示され、１０枚目のインスタントフイルムに画像の記録が行われると、残り枚数が０枚であることを示す数値「０」が表示される。なお、インスタントフイルムパックが抜かれた場合は、何も表示されないブランク状態となる。
【００１４】
また、プリンタ１０の端部には、赤外線通信によって送受信を行う送受信部１４が備えられている。この送受信部１４は、赤外線通信により送信されてきた画像データを受信するとともに、受信された旨を相手側に知らせるための信号を送信する。
【００１５】
さらに、前記筐体１０ａには、電源が投入されると点灯するとともに赤外線通信時に点滅する電源用ＬＥＤ１５、赤外線通信においてエラーが発生すると点灯する通信エラー用ＬＥＤ１６、および内蔵された電池電圧が低下するとユーザに電池交換を促すために点灯するローバッテリ表示用のＬＥＤ１７が設けられている。
【００１６】
また、プリンタ１０の側面には、そのプリンタ１０の下面側に設けられた後述するフイルムドアを開放するためのフイルムドア開放ノブ１８が備えられており、コーナー部にはストラップ取付部１９が備えられている。
【００１７】
図２において、カメラ付き携帯電話２２の赤外線通信部をプリンタ１０の送受信部１４に向けた状態でカメラ付き携帯電話２２を操作し、カメラ付き携帯電話２２で撮影された画像の画像データを赤外線通信を用いてプリンタ１０に送信する。
【００１８】
プリンタ１０は、赤外線通信により送信されてきた画像データを受信し、その受信した画像データに基づく潜像の記録を露光によりインスタントフイルム２４上に行いながら、そのインスタントフイルム２４を顕像しつつ、プリンタ１０の送出口２６から外部へ徐々に排出する。続いて、再びプリントＳＷ１２が操作されたときには、その画像と同じ画像が別のインスタントフイルム上に再記録される。
【００１９】
プリンタ１０の下面側には、図３に示すように、フイルムドア開放ノブ１８の操作により開放されるフイルムドア２８が設けられており、このフイルムドア２８が開けられ、インスタントフイルムパックが媒体装填室に装填される。また、フイルムドア２８には、インスタントフイルムパックが装填されているか否かを確認するためのパック在否確認窓２８ａが設けられている。さらに、フイルムドア２８に隣接して、プリンタ１０の電源となる電池を実装するために開放される電池室２９も設けられている。
【００２０】
フイルムドア２８が開けられた状態を示す図４において、フイルムドア２８の内側には、前述したパック在否確認窓２８ａと、バネ部材３１，３２が設けられており、これらのバネ部材３１，３２によってインスタントフイルムパック内に積層されたインスタントフイルムがプリンタ１０の上面側に押圧される。
【００２１】
フイルムドア２８を開けることによって、インスタントフイルムパックを装填するための媒体装填室３４が露呈される。この媒体装填室３４外の、図面左側には、搬送するインスタントフイルムに画像を書き込む光ヘッド３６および媒体搬送部３８が設けられている。
【００２２】
また、媒体装填室３４内の、図面右方には、インスタントフイルムを光ヘッド３６および媒体搬送部３８側に送り出すための爪（クロー）３９が設けられている。このような構成によって、インスタントフイルムパック内のインスタントフイルムのうちの、プリンタ１０の一番上面側にあるインスタントフイルムが爪３９で押し上げられて媒体搬送部３８で搬送されながら光ヘッド３６で画像が書き込まれる。
【００２３】
前記媒体搬送部３８の一部を示す図５において、搬送ローラ４２は、バネ４４で搬送ローラ４１側に付勢されている。搬送ローラ４１，４２は、インスタントフイルムパック４５から送り出されたインスタントフイルム２４の両側部を挟んで搬送する。
【００２４】
また、展開ローラ４６は、バネ４８で展開ローラ４７側に付勢されている。展開ローラ４６，４７は、インスタントフイルム２４の現像溜まり２４ａを押し潰して現像剤を展開する。また、媒体搬送部３８には、搬送ローラ４１，４２と展開ローラ４６，４７との間に位置して展開中の現像剤を制御するための制御板５１,５２と、インスタントフイルム２４を案内するためのフイルム案内フレーム５４が備えられている。また、インスタントフイルムパック４５の出口近傍には、光ヘッド３６が設けられている。
【００２５】
媒体搬送部３８は、インスタントフイルム２４を所定の搬送開始点Ｐｓから固定書込点Ｐｆを通過して所定の搬送終了点Ｐｅまで搬送する。光ヘッド３６は、搬送中のインスタントフイルム２４に固定書込点Ｐｆで画像を書き込む。
【００２６】
前記光ヘッド３６の構成を示す図６において、光ヘッド３６は、インスタントフイルム２４の搬送方向である副走査方向と直交する主走査方向に長いバックライトとしての光ガイド５６と、この入射口５６ａに配設され、バックライトの光源としての発光素子であるＬＥＤ５７Ｒ，５７Ｇ，５７Ｂと、液晶シャッタアレイ５８と、セルフォックレンズ（登録商標）５９とからなる。
【００２７】
前記ＬＥＤ５７Ｒ，５７Ｇ，５７Ｂは、光の３原色であるレッド光（Ｒ光），グリーン光（Ｇ光），ブルー光（Ｂ光）をそれぞれ発光し、画像の１ラインを記録する際に、１個ずつ順次に発光される。前記ＬＥＤ５７Ｒ，５７Ｇ，５７Ｂの各最大発光量は、詳しくは後述するように画像データに基づいて決定される。
【００２８】
前記Ｒ光，Ｇ光，Ｂ光が順次に放出される度に、各光が入射口５６ａから光ガイド５６の内部に入り、インスタントフイルム２４側に面した光ガイド５６の射出面５６ｂから放出され、液晶シャッタアレイ５８の各シャッタによって光量が調節され、その先にあるセルフォックレンズ（登録商標）５９を通ってインスタンフイルム２４の露光面の同一点に結像される。
【００２９】
本実施形態では、４８０素子の液晶シャッタアレイ５８を用いて画像データに応じて各シャッタの開口時間を制御することで画像データに応じた階調を持つ４８０個の光点がインスタントフイルム２４上に潜像として記録される。これが副走査方向にも６４０ライン分記録され、４８０×６４０個の光点がインスタントフイルム上に潜像として記録される。各光点は、Ｒ，Ｇ，Ｂの３色の光をセルフォックレンズ（登録商標）５９によって同一点に記録させたカラー画像を表わす潜像である。
【００３０】
プリンタ内部の制御系統を示す図７において、プリンタ１０には、前記光ヘッド３６の他、メイン基板部６０，サブ基板部６２，ＦＰＩ部６４，ＥＮＣＰＩ部６６，ＣＯＵＮＴＰＩ部６８，カムスイッチ７０，前述した送受信部１４に設けられたＩｒＤＡ送受信部７２及び直流のモータ７４が備えられている。
【００３１】
サブ基板部６２には、前述した電源ＳＷ１１，プリントＳＷ１２、および表示用ＬＥＤ部６３が備えられている。表示用ＬＥＤ部６３には、前述した電源用ＬＥＤ１５，通信エラー用ＬＥＤ１６，ローバッテリ表示用のＬＥＤ１７、およびカウンタ１３の裏側に設けられたカウンタバックライト用のＬＥＤ（図示せず）等が含まれる。
【００３２】
メイン基板部６０には、前記光ヘッド３６との間を接続するフレキシブルケーブル７８,７９が備えられている。この光ヘッド３６は、搬送途中のインスタントフイルム２４に、書込指示パルスに同期して送受信部１４により受信した画像データに基づいて、ＬＥＤ５７Ｒ，５７Ｇ，５７ＢからのＲ，Ｇ，Ｂの３つの色光を照射することにより、前記インスタントフイルム２４に潜像を書き込む。また、プリンタ１０には、３Ｖの一次電池８６が２個内蔵される。
【００３３】
メイン基板部６０には、直列接続された一次電池８６からの６Ｖの電源電圧ＶＢが印加される。メイン基板部６０には、ＭＰＵ(Micro Processor Unit)９１と、発振子９２と、リセット回路９３と、フラッシュメモリ（ＦＬＡＳＨ）９４と、ＳＤＲＡＭ９６とが備えられている。
【００３４】
ＭＰＵ９１は、プリンタ１０の動作を統括的に制御する。発振子９２は、所定の周波数の発振信号を生成してＭＰＵ９１に動作用のクロック信号として供給する。リセット回路９３は、ＭＰＵ９１の初期化を行うためのリセット信号を出力する。
【００３５】
フラッシュメモリ９４は、不揮発性のメモリであり、このフラッシュメモリ９４には、工場出荷時において、Ｒ，Ｇ，Ｂの各画像の最大濃度から、これを再現するために必要な露光量（Ｔreq）に変換するルックアップテーブルと、ＬＥＤの駆動電圧とインスタントフイルム２４の露光量との関係をインスタントフイルム２４のガンマ（γ）特性に基づいてＲ，Ｇ，Ｂごとに予め取得し作成された特性曲線Ｐ（図８参照）が記憶されている。
【００３６】
前記特性曲線Ｐを示す図８において、ＶmaxはＬＥＤに理論的に印加できる最大駆動電圧であり、Ｖminは最小駆動電圧である。最大駆動電圧Ｖmaxによってインスタントフイルムに与えられる露光量は最大露光量Ｔmaxとなり、また最小駆動電圧Ｖminによってインスタントフイルムに与えられる露光量は最小露光量Ｔminとなる。
【００３７】
しかしながら、本実施形態のインスタントフイルム２４のガンマ（γ）特性から、実際にインスタントフイルム２４が発色する濃度範囲は、Ｔmax〜Ｔminの露光量範囲に対応した範囲よりも狭くなり、Ｔmax〜Ｔminの露光量範囲よりも狭いＴａ〜Ｔｂの露光量範囲でカバーされる。
【００３８】
したがって、従来は、インスタントフイルム２４の実際の最大濃度に対応させ、露光量Ｔａを発生させるための駆動電圧Ｖａで常にＬＥＤを駆動し、インスタントフイルム２４に与えられる露光範囲がＴａ〜Ｔｂとなるように、液晶シャッタアレイ５８の各シャッタの開閉時間を調節するようにしていた。
【００３９】
ところが、印画する画像の最大濃度が、露光量Ｔａによって発色する最大濃度よりも低い場合がある。そこで、本発明は、このような画像を印画する際には、画像の最大濃度を発色させるために必要な必要露光量Ｔreq（＜Ｔａ）に対応する必要駆動電圧Ｖreq（＜Ｖａ）でＬＥＤを駆動し、インスタントフイルム２４に与えられる露光範囲がＴreq〜Ｔｂとなるように、液晶シャッタアレイ５８の各シャッタの開閉時間を調節するようにした。これにより、（Ｖａ−Ｖreq）分の消費電力を低減することができる。なお、図８に示す特性曲線Ｐは、インスタントフイルム２４がポジタイプの場合であり、ネガタイプの場合には、画像の階調が反転したものとなるから、その特性曲線は特性曲線Ｐを左右に反転させた形になる。
【００４０】
ＳＤＲＡＭ９６は、揮発性のメモリであり、このＳＤＲＡＭ９６には、カメラ付き携帯電話２２から送られた画像データ等が記憶される。
【００４１】
また、メイン基板部６０には、６Ｖの電源電圧ＶＢを入力して、２．５Ｖの電圧を出力する電源部９８、３．３Ｖの電圧を出力する電源部９９、および１５Ｖの電圧を出力するＤＣ／ＤＣコンバータ１００が備えられている。さらに、ＭＰＵ９１からの指示を受けてこれら電源部９８，９９，ＤＣ／ＤＣコンバータ１００を制御する電源制御部１０２も備えられている。ここで、２．５Ｖの電圧はＭＰＵ９１に供給されるとともに３．３Ｖの電圧はＭＰＵ９１以外の周辺回路に供給される。
【００４２】
さらに、メイン基板部６０には、ＢＣ部１０４と、ＴＰＧ部１０６と、発振子１１０と、ＩｒＤＡ／ＬＣＳ制御部１１２と、ヘッドＬＥＤ駆動部１１４とが備えられている。
【００４３】
ＢＣ部１０４は、一次電池８６の電源電圧ＶＢが所定の値よりも低下したか否かをチェックする。ＭＰＵ９１は、このチェック結果を参照して一次電池８６の電源電圧ＶＢが所定の値よりも低下していると判定した場合は、ユーザに電池交換を促すためにローバッテリ表示用のＬＥＤ１７を点灯する。ＴＰＧ部１０６は、ＤＣ／ＤＣコンバータ１００から出力される１５Ｖの電圧をオン，オフする。
【００４４】
ＭＰＵ９１は、ＳＤＲＡＭ９６に記憶された画像データに基づいて画像の最大濃度を検出し、その最大濃度を再現するために必要な露光量（Ｔreq）をフラッシュメモリ９４に格納されたルックアップテーブルを参照して求め、さらにフラッシュメモリ９４に格納された特性曲線Ｐによって必要露光量（Ｔreq）に対応するＬＥＤの必要駆動電圧（Ｖreq）を求める。このＶreqは、ＬＥＤ５７Ｒ，５７Ｇ，５７Ｂごとにそれぞれ求められる。
【００４５】
発振子１１０は、所定の周波数の発振信号を生成してＩｒＤＡ／ＬＣＳ制御部１１２に供給する。このＩｒＤＡ／ＬＣＳ制御部１１２は、発振子１１０からの発振信号に基づいてＩｒＤＡ送受信部７２および光ヘッド３６を制御する。
【００４６】
前記ＩｒＤＡ送受信部７２には赤外線通信を行うための投光素子および受光素子が備えられており、ＩｒＤＡ／ＬＣＳ制御部１１２は、前記受光素子で光電変換されたデータをＭＰＵ９１に送ったり、ＭＰＵ９１からその旨を外部の機器に知らせるためのデータを上記投光素子経由で外部に送信したりする。
【００４７】
また、ＩｒＤＡ／ＬＣＳ制御部１１２は、ＭＰＵ９１からの指示により、フレキシブルケーブル７８を介して、光ヘッド３６に画像データに応じた制御信号を送る。この制御信号は、光ヘッド３６内の液晶シャッタアレイ５８の各シャッタの開口時間を制御する。また、ヘッドＬＥＤ駆動部１１４は、ＭＰＵ９１の指示に基づき、フレキシブルケーブル７９を経由してＬＥＤ５７Ｒ，５７Ｇ，５７Ｂを各駆動電圧Ｖreqで駆動する。
【００４８】
さらに、メイン基板部６０には、ＰＩ駆動部１１６が備えられている。このＰＩ駆動部１１６は、ＦＰＩ部６４，ＥＮＣＰＩ部６６，ＣＯＵＮＴＰＩ部６８を駆動する。ここで、ＦＰＩ部６４，ＥＮＣＰＩ部６６，ＣＯＵＮＴＰＩ部６８について説明する。
【００４９】
ＦＰＩ部６４は、インスタントフイルム２４の有無を検出して、後述するフイルム信号ＦＩＬＭ＿ＰＩを出力するためのフォトインタラプタである。このＦＰＩ部６４は、インスタントフイルム２４がインスタントフイルムパックに収容されている初期状態では、フイルム信号ＦＩＬＭ＿ＰＩとして‘Ｈ’レベルを出力する。また、モータ７４が回転してインスタントフイルム２４が搬送されてその先端が検出されると、フイルム信号ＦＩＬＭ＿ＰＩは‘Ｈ’レベルから‘Ｌ’レベルに変化する。さらに、そのインスタントフイルム２４が搬送され続けて後端が検出されるとフイルム信号ＦＩＬＭ＿ＰＩは‘Ｌ’レベルから‘Ｈ’レベルに変化する。
【００５０】
ＥＮＣＰＩ部６６は、モータ７４の回転に同期したパルス列からなる、エンコード信号ＥＮＣを出力するためのフォトインタラプタである。また、ＣＯＵＮＴＰＩ部６８は、カウンタ１３がリセット状態（インスタントフイルムパックが抜かれた状態）を検知するためのフォトインタラプタである。
【００５１】
また、メイン基板部６０には、カムスイッチ７０が接続されている。このカムスイッチ７０は、プリンタ１０の搬送機構における初期位置をモニタするためのスイッチであり、初期位置ではカムスイッチ７０からカムスイッチ信号ＣＡＭＳＷとして‘Ｈ’レベルが出力され、モータ７４の回転に伴い搬送機構が初期位置から外れるとカムスイッチ信号ＣＡＭＳＷは‘Ｈ’レベルから‘Ｌ’レベルに変化する。さらに、メイン基板部６０には、モータ駆動部１１８が備えられている。
【００５２】
このように構成されたプリンタ１０の作用を図９に示すフローチャートを参照して説明する。予め、カメラ付き携帯電話２２から画像データが赤外線通信によりプリンタ１０に送信される。送受信部１４を介してＩｒＤＡ送受信部７２によって取り込まれた画像データは、ＳＤＲＡＭ９６に記憶される。
【００５３】
プリントＳＷ１２が押されると（ｓｔ１）、ＭＰＵ９１はＳＤＲＡＭ９６から画像データを読み出し、これに基づいて画像のＲ成分（Ｒ画像）の最大濃度を検出する（ｓｔ２）。続いて、ＭＰＵ９１は、Ｒ画像の最大濃度を再現するために必要な露光量Ｔreqをフラッシュメモリ９４に格納されたルックアップテーブルを参照して求める（ｓｔ３）。さらにＲ画像用の特性曲線Ｐを参照して必要露光量Ｔreqに対応するＬＥＤ５７Ｒの必要駆動電圧Ｖreqを求める（ｓｔ４）。同様に、ＬＥＤ５７Ｇ，５７Ｂの各必要駆動電圧Ｖreqが求められる。
【００５４】
次に、クロー３９が最上層のインスタントフイルム２４をかき出し、インスタントフイルムパック４５から送り出されたインスタントフイルム２４の両側部を搬送ローラ４１，４２が挟んで搬送を開始する（ｓｔ５）。
【００５５】
インスタントフイルム２４の露光面の端が光ヘッド３６に対面すると、インスタントフイルム２４の搬送が１ラインごとのステップ搬送に切り替えられる。また、ＭＰＵ９１は、ＳＤＲＡＭ９６からＲ画像の画像データの１ライン分を読み出すとともに（ｓｔ６）、ヘッドＬＥＤ制御部１１４にコマンドを送り、フレキシブルケーブル７９を経由して光ヘッド３６のＬＥＤ５７ＲをＲ画像用の必要駆動電圧Ｖreqで駆動する（ｓｔ７）。
【００５６】
ＭＰＵ９１は、ＩｒＤＡ／ＬＣＳ制御部１１２にコマンドを送り、フレキシブルケーブル７８を経由して光ヘッド３６にＲ画像の１ライン分の画像データに応じた制御信号を送る。この制御信号により液晶シャッタアレイ５８の各シャッタの開口時間が調節され、１ライン分のＲ画像がインスタントフイルム２４上に潜像として記録される（ｓｔ８）。
【００５７】
続いて、ＬＥＤ５７ＧがＧ画像用の必要駆動電圧Ｖreqで駆動されるとともに液晶シャッタアレイ５８の各シャッタの開口時間がＧ画像の１ライン分の画像データに応じて調節され、Ｒ画像が記録されたインスタントフイルム２４上の同じラインにＧ画像が潜像として記録される。さらに続いて、同じラインにＢ画像が潜像として記録される。
【００５８】
Ｒ，Ｇ，Ｂの各画像が同じ１ラインに記録された後（ｓｔ９）、インスタントフイルム２４が１ラインの幅分だけステップ搬送され（ｓｔ１０）、次の１ラインにＲ，Ｇ，Ｂの各画像が潜像として記録される。このようにして全てのラインに画像が潜像として記録されると（ｓｔ１１）、インスタントフイルム２４は高速の送出搬送速度に変更されて搬送される。
【００５９】
現像溜まり２４ａが展開ローラ４６，４７によって押し潰され、インスタントフイルム２４内に現像剤が展開されながら、インスタントフイルム２４がプリンタ１０の送出口２６から外部に排出される（ｓｔ１２）。所定の現像時間が経過すると、インスタントフイルム２４にカラー画像が現出する。
【００６０】
以上説明した実施形態では、使用するインスタントフイルムをポジタイプとしたが、ネガタイプを用いてもよい。この場合には、上述したように、特性曲線Ｐを左右に反転させた特性曲線を用いればよい。また、使用するインスタントフイルムのポジ・ネガタイプを判別する手段を設け、使用する特性曲線を選択するようにしてもよい。
【００６１】
また、上記実施形態では、光源としてＲ，Ｇ，Ｂ（３色）のＬＥＤを用いたが、本発明はこれに限定されることなく、例えば白色光を発光する白色ＬＥＤとＲ，Ｇ，Ｂフィルタを用いてもよい。また、３色に限らず、１色（モノトーン）や２色、またＲ，Ｇ，Ｂに１色を加えて４色であってもよい。
【００６２】
また、上記実施形態では、画像データを赤外線通信によって取り込むようにしたが、本発明はこれに限定されることなく、例えばＵＳＢポートを設け、ＵＳＢメモリによって画像データを取り込むようにしてもよい。
【００６３】
また、上記実施形態では、搬送中のインスタントフイルムに画像を書き込むようにしたが、本発明はこれに限定されることなく、媒体装填室内で光ヘッドを移動させてインスタントフイルムに画像を書き込むようにしてもよい。また、１フレーム分や複数ライン分の画像を表示する面状の液晶パネルを用いて、これに表示された画像を光学レンズで記録媒体に結像させ、露光させるようにしてもよい。
【００６４】
また、上記実施形態はインスタントフイルムを用いたプリンタであったが、感光性の記録媒体に潜像を記録するプリンタであればどのようなものにでも適用可能である。
【図面の簡単な説明】
【００６５】
【図１】本発明の一実施形態のプリンタを斜め前方から示す斜視図である。
【図２】カメラ付き携帯電話から送られた画像データに基づいて画像をインスタントフイルムに記録して排出する様子を示すプリンタの説明図である。
【図３】プリンタの下面側を斜め上方から見た斜視図である。
【図４】フイルムドアが開けられたプリンタの状態を示す斜視図である。
【図５】媒体搬送部の一部を示す断面図である。
【図６】光学ヘッドの構成を示す模式図である。
【図７】プリンタ内部の制御系統を示す構成ブロック図である。
【図８】インスタントフイルムの必要露光量からＬＥＤの必要駆動電圧を求める特性曲線を示すグラフである。
【図９】主要なシーケンスを示すフローチャートである。
【符号の説明】
【００６６】
１０  プリンタ
２４  インスタンフイルム
３６  光ヘッド
５６  光ガイド
５７Ｒ，５７Ｇ，５７Ｂ  ＬＥＤ
５８  液晶シャッタアレイ
９１  ＭＰＵ
９４  フラッシュメモリ
１１２  ＩｒＤＡ／ＬＣＳ制御部
Ｐ  特性曲線
Ｔreq  必要露光量
Ｖreq  必要駆動電圧
【図１】
2007206432.tif 000003
【図２】
2007206432.tif 000004
【図３】
2007206432.tif 000005
【図４】
2007206432.tif 000006
【図５】
2007206432.tif 000007
【図６】
2007206432.tif 000008
【図７】
2007206432.tif 000009
【図８】
2007206432.tif 000010
【図９】
2007206432.tif 000011